(57)【要約】【課題】トランス等の電子部品による電磁ノイズが電子内視鏡用プロセッサの筐体内で反射・拡散して電磁障害を引き起こす虞がある。【解決手段】電子内視鏡用プロセッサを、差し込まれた電子スコープのコネクタ部を保持する凹状差込部と、凹状差込部にコネクタ部が差し込まれて保持されている差込保持状態にあるとき、該コネクタ部に内蔵されているスコープ側信号伝送部と非接触で電磁結合することが可能なプロセッサ側信号伝送部と、差込保持状態のコネクタ部を取り囲うように位置する、凹状差込部を構成する壁部の略全体、及びプロセッサ側信号伝送部の周囲に配置された電磁波吸収体とを備える構成とする。【選択図】図１
2018033594.tif 000002
【特許請求の範囲】
【請求項１】
電子スコープと無接点で通信する電子内視鏡用プロセッサであって、
差し込まれた前記電子スコープのコネクタ部を保持する凹状差込部と、
前記凹状差込部に前記コネクタ部が差し込まれて保持されている差込保持状態にあるとき、該コネクタ部に内蔵されているスコープ側信号伝送部と非接触で電磁結合することが可能なプロセッサ側信号伝送部と、
前記差込保持状態の前記コネクタ部を取り囲うように位置する、前記凹状差込部を構成する壁部の略全体、及び前記プロセッサ側信号伝送部の周囲に配置された電磁波吸収体と、
を備える、
電子内視鏡用プロセッサ。
【請求項２】
前記電磁波吸収体は、
グラウンドに接続されている、
請求項１に記載の電子内視鏡用プロセッサ。
【請求項３】
請求項２に記載の電子内視鏡用プロセッサと、
内蔵する電子部品が電磁シールドによって取り囲われている電子スコープと、
を備え、
前記電子スコープは、
前記電磁シールドと接続された接続端を有し、
前記電子内視鏡用プロセッサは、
前記電磁波吸収体と接続された受側接続端を有し、
前記コネクタ部が前記凹状差込部に差し込まれて保持されると、前記接続端と前記受側接続端とが接触して前記電磁シールドが前記グラウンドに接続される、
電子内視鏡システム。
【請求項４】
前記電磁波吸収体は、
前記電子内視鏡用プロセッサ内に配置されたＲＣ並列回路を介して前記グラウンドに接続されている、
請求項３に記載の電子内視鏡システム。
【請求項５】
前記グラウンドは、
フレームグラウンドとして機能する、前記電子内視鏡用プロセッサを構成する導電性部材である、
請求項３又は請求項４の電子内視鏡システム。
【発明の詳細な説明】
【技術分野】
【０００１】
本発明は、電子内視鏡用プロセッサ及び電子内視鏡システムに関する。
【背景技術】
【０００２】
電子スコープを洗浄・消毒する際には、一般に、電気コネクタ等の電気的な露出部に防水キャップを取り付ける必要がある。しかし、防水キャップの取り付けは、作業者にとって煩わしい作業である。
【０００３】
そこで、例えば特許文献１に、防水キャップの取付作業を行うことなく、電子スコープの洗浄・消毒をより簡便に行うことを可能とする電子内視鏡システムが記載されている。
【０００４】
具体的には、特許文献１に記載の電子内視鏡システムでは、電子スコープと電子内視鏡用プロセッサのそれぞれにトランスが内蔵されている。このトランス対が非接触型の電磁結合手段として機能することにより、電子スコープと電子内視鏡用プロセッサとが無接点で通信できるようになっている。そのため、特許文献１に記載の電子内視鏡システムには、電気的な露出部が存在しない。従って、洗浄・消毒時において防水キャップ自体が不要となっており、作業者の作業負担が軽減されている。
【先行技術文献】
【特許文献】
【０００５】
【特許文献１】特許第４４６１１００号公報
【発明の概要】
【発明が解決しようとする課題】
【０００６】
しかし、特許文献１に記載の電子内視鏡システムでは、トランスの電磁誘導によるノイズが電子内視鏡用プロセッサの筐体内で反射・拡散して電磁障害を引き起こす虞がある。
【０００７】
本発明は上記の事情に鑑みてなされたものであり、その目的とするところは、電子スコープに内蔵されたトランス等の非接触型の電磁結合手段を構成する電子部品による電磁ノイズの影響を抑えるのに好適な電子内視鏡用プロセッサ及び電子内視鏡システムを提供することである。
【課題を解決するための手段】
【０００８】
本発明の一実施形態に係る電子内視鏡用プロセッサは、電子スコープと無接点で通信するものであり、差し込まれた電子スコープのコネクタ部を保持する凹状差込部と、凹状差込部にコネクタ部が差し込まれて保持されている差込保持状態にあるとき、該コネクタ部に内蔵されているスコープ側信号伝送部と非接触で電磁結合することが可能なプロセッサ側信号伝送部と、差込保持状態のコネクタ部を取り囲うように位置する、凹状差込部を構成する壁部の略全体、及びプロセッサ側信号伝送部の周囲に配置された電磁波吸収体とを備える。
【０００９】
また、本発明の一実施形態において、電磁波吸収体は、グラウンドに接続されている構成としてもよい。
【００１０】
また、本発明の一実施形態に係る電子内視鏡システムは、上記の電子内視鏡用プロセッサと、内蔵する電子部品が電磁シールドによって取り囲われている電子スコープとを備える。電子スコープは、電磁シールドと接続された接続端を有する。電子内視鏡用プロセッサは、電磁波吸収体と接続された受側接続端を有する。かかる電子内視鏡システムでは、コネクタ部が凹状差込部に差し込まれて保持されると、接続端と受側接続端とが接触して電磁シールドがグラウンドに接続される。
【００１１】
また、本発明の一実施形態において、電磁波吸収体は、電子内視鏡用プロセッサ内に配置されたＲＣ並列回路を介してグラウンドに接続されている構成としてもよい。
【００１２】
また、本発明の一実施形態において、グラウンドは、例えば、フレームグラウンドとして機能する、電子内視鏡用プロセッサを構成する導電性部材である。
【発明の効果】
【００１３】
本発明の一実施形態によれば、電子スコープに内蔵されたトランス等の非接触型の電磁結合手段を構成する電子部品による電磁ノイズの影響を抑えるのに好適な電子内視鏡用プロセッサ及び電子内視鏡システムが提供される。
【図面の簡単な説明】
【００１４】
【図１】本発明の一実施形態に係る電子内視鏡システム１の構成を概略的に示す図である。
【発明を実施するための形態】
【００１５】
以下、本発明の実施形態について図面を参照しながら説明する。なお、以下においては、本発明の一実施形態として電子内視鏡システムを例に取り説明する。
【００１６】
図１は、本発明の一実施形態に係る電子内視鏡システム１の構成を概略的に示す図である。図１に示されるように、本実施形態に係る電子内視鏡システム１は、電子スコープ１００及び電子内視鏡用プロセッサ２００を備えている。
【００１７】
電子スコープ１００については、便宜上、一部の構成のみ図示する。図１に示されるように、電子スコープ１００は、コネクタ部１１０及びユニバーサルケーブル１２０を備えている。ユニバーサルケーブル１２０より先端には、電子スコープ１００を操作するための手元操作部、体腔内に挿入される挿入部可撓管、固体撮像素子等が組み込まれた先端部等が設けられている。
【００１８】
電子スコープ１００内の各電子部品（固体撮像素子、配線、回路基板等）は、電磁シールドとして作用する金属部材によって取り囲われている。例示的には、回路基板等の部材は、金属板で取り囲われており、配線等の線状部材は、金属製のスパイラルチューブによって取り囲われている。図１においては、これらの金属部材を斜線で示すと共に符号１３０を付す。言い換えると、金属部材１３０は、電子スコープ１００内の各電子部品を静電気や電磁波から保護するファラデーケージとして作用する。
【００１９】
コネクタ部１１０には、接続端１３２が埋設されている。接続端１３２は導電性部材であり、金属部材１３０と接続されている。接続端１３２は、一部が外観として露出している。
【００２０】
電子内視鏡用プロセッサ２００の筐体２１０のフロント面には、電子スコープ１００のコネクタ部１１０が差し込まれる凹状差込部２２０が形成されている。凹状差込部２２０は、差し込まれたコネクタ部１１０を収容するスペースＳを規定する壁部２２０ａを有している。コネクタ部１１０がスペースＳに入れられると、コネクタ部１１０は、壁部２２０ａに緩やかに嵌め込まれて、保持された状態となる。
【００２１】
壁部２２０ａには、受側接続端２２２が埋設されている。受側接続端２２２は導電性部材であり、電磁波吸収体２２４と接続されている。受側接続端２２２は、スペースＳ内において一部が外観として露出している。
【００２２】
電磁波吸収体２２４は、壁部２２０ａの略全体及びトランス２４０（後述）を取り囲う壁部２２０ｂの略全体に取り付けられた、電磁波を吸収する機能を持つ電磁波吸収シートである。また、電磁波吸収体２２４は、電磁波吸収材を含む塗料を壁部２２０ａ及び壁部２２０ｂの略全体に塗布することによって構成されたものであってもよい。電磁波吸収体２２４は、ＲＣ並列回路２３０の入力端と接続されている。
【００２３】
ＲＣ並列回路２３０の出力端は、フレームグラウンドＦＧに接続されている。フレームグラウンドＦＧは、例えば、筐体２１０やシャーシ等を構成する導電性の金属部材である。
【００２４】
コネクタ部１１０が凹状差込部２２０に差し込まれて保持されると、コネクタ部１１０に埋設された接続端１３２と、壁部２２０ａに埋設された受側接続端２２２とが接触する。これにより、電子スコープ１００内の金属部材１３０は、接続端１３２、受側接続端２２２、電磁波吸収体２２４及びＲＣ並列回路２３０を介してフレームグラウンドＦＧに接続される。
【００２５】
ＲＣ並列回路２３０は、高周波に対して低インピーダンス特性を持つ。そのため、金属部材１３０に帯電した静電気等のノイズは、接続端１３２、受側接続端２２２、電磁波吸収体２２４及びＲＣ並列回路２３０を介してフレームグラウンドＦＧに流れる。すなわち、接続端１３２と受側接続端２２２とが接触することにより、電子スコープ１００の除電が完了する。
【００２６】
電子スコープ１００は、電子内視鏡用プロセッサ２００への信号伝送を行うトランス１４０（スコープ側信号伝送部）を備えている。トランス１４０は、コネクタ部１１０内に配置されており、外観上の露出が無い。
【００２７】
電子内視鏡用プロセッサ２００は、電子スコープ１００への信号伝送を行うトランス２４０（プロセッサ側信号伝送部）を備えている。トランス２４０は、壁部２２０ａ近傍に配置されており、上述したように、壁部２２０ｂによって取り囲われている。トランス２４０は、トランス１４０と同じく外観上の露出が無い。トランス２４０は、ケーブル２５０を介して信号処理回路２６０と接続されている。
【００２８】
トランス対（トランス１４０とトランス２４０）は、非接触型の電磁結合手段として機能する。そのため、本実施形態では、電子スコープ１００と電子内視鏡用プロセッサ２００とが無接点で通信できるようになっている。
【００２９】
トランス１４０及びトランス２４０の電磁誘導による電磁ノイズが電子内視鏡用プロセッサ２００の筐体２１０内で反射・拡散して電磁障害を引き起こす虞がある。起こり得る電磁障害として、例えば、電子内視鏡用プロセッサ２００の動作不良や信号劣化、周辺機器の動作不良等が挙げられる。
【００３０】
この種の電磁障害を防ぐため、本実施形態では、電子内視鏡用プロセッサ２００に電磁波吸収体２２４が備えられている。具体的には、電磁波吸収体２２４は、凹状差込部２２０に差し込まれて保持されているコネクタ部１１０（トランス１４０）を取り囲うように位置する壁部２２０ａの略全体、及びトランス２４０を取り囲う壁部２２０ｂの略全体に配置されている。そのため、トランス１４０及びトランス２４０の駆動に伴って発生する電磁ノイズは、電磁波吸収体２２４によって効率的に吸収される。そのため、電磁障害が防がれる。
【００３１】
ここで、電磁波吸収体２２４を、電磁波を反射する電磁波反射部材に置き換えた場合を考える。この場合、壁部２２０ａが規定するスペースＳ外部及び壁部２２０ｂが規定するスペース外部への電磁ノイズの漏れを防ぐことはできる。しかし、乱反射によるノイズや信号劣化等の障害が起こり得る。この種の障害を防ぐためにも、電磁波反射部材でなく電磁波吸収体２２４が好適である。
【００３２】
上述したように、電磁波吸収体２２４はフレームグラウンドＦＧに接続されている。そのため、トランス１４０及びトランス２４０による電磁ノイズは、電磁波吸収体２２４に吸収され、次いで、フレームグラウンドＦＧに流れる。すなわち、電磁ノイズは、電磁波吸収体２２４に帯電しない。
【００３３】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【符号の説明】
【００３４】
１  電子内視鏡システム
１００  電子スコープ
１１０  コネクタ部
１２０  ユニバーサルケーブル
１３０  金属部材
１３２  接続端
１４０  トランス
２００  電子内視鏡用プロセッサ
２１０  筐体
２２０  凹状差込部
２２０ａ、２２０ｂ  壁部
２２２  受側接続端
２２４  電磁波吸収体
２３０  ＲＣ並列回路
２４０  トランス
２５０  ケーブル
２６０  信号処理回路
【図１】
2018033594.tif 000003